(57)【特許請求の範囲】
【請求項１】
結束した排稈束を機体後方に放出するにあたり、機体から後方に突出する放出抵抗ガイドに前記放出される排稈束が接触しながら下方に落下するときに受ける接触抵抗に基づいて該排稈束の放出姿勢を修正するようにした結束装置において、前記放出抵抗ガイドを支持するガイド支持部に、排稈の長さや結束位置に応じて調節するため縦軸を支点とする左右回動に基づいて放出抵抗ガイドの左右位置調節を許容する左右位置調節機構を設けると共に、横軸を支点とする上下回動に基づいて放出抵抗ガイドを作業姿勢と収納姿勢とに変姿させるにあたり、放出抵抗ガイドの左右回動を任意の位置で規制可能な左右位置調節具を設けると共に、該左右位置調節具を、放出抵抗ガイドを作業姿勢と収納姿勢とに選択的に保持する姿勢保持具に兼用したことを特徴とする結束装置。
【発明の詳細な説明】
【０００１】
【発明の属する技術分野】
本発明は、コンバインに設けられる結束装置の技術分野に属するものである。
【０００２】
【従来の技術】
一般に、この種コンバインに設けられる結束装置のなかには、結束した排稈をスイーパで機体後方に放出するにあたり、機体から後方に突出する放出抵抗ガイドで排稈束の放出姿勢を修正するようにしたものがある。つまり、前記スイーパは、排稈束を機体後方に放り投げるため、排稈束が圃場に散乱する可能性があるが、放出抵抗ガイドを設けたものでは、排稈束が放出抵抗ガイドから適度な抵抗を受けながら圃場に落下するため、排稈束を横向き姿勢で圃場に整然と並べることが可能になる。
【０００３】
【発明が解決しようとする課題】
しかるに、従来の放出抵抗ガイドは、結束位置を基準とした一定位置で排稈束をガイドするため、排稈の長さや結束位置に応じて排稈束に対する相対位置が変化してしまい、その結果、排稈束における放出抵抗ガイドの接触位置が左右に偏倚して放出姿勢に乱れが生じる可能性があった。
【０００４】
【課題を解決するための手段】
本発明は、上記の如き実情に鑑みこれらの課題を解決することを目的として創作されたものであって、請求項１の発明は、結束した排稈束を機体後方に放出するにあたり、機体から後方に突出する放出抵抗ガイドに前記放出される排稈束が接触しながら下方に落下するときに受ける接触抵抗に基づいて該排稈束の放出姿勢を修正するようにした結束装置において、前記放出抵抗ガイドを支持するガイド支持部に、排稈の長さや結束位置に応じて調節するため縦軸を支点とする左右回動に基づいて放出抵抗ガイドの左右位置調節を許容する左右位置調節機構を設けると共に、横軸を支点とする上下回動に基づいて放出抵抗ガイドを作業姿勢と収納姿勢とに変姿させるにあたり、放出抵抗ガイドの左右回動を任意の位置で規制可能な左右位置調節具を設けると共に、該左右位置調節具を、放出抵抗ガイドを作業姿勢と収納姿勢とに選択的に保持する姿勢保持具に兼用したことを特徴とする結束装置である。
つまり、排稈の長さや結束位置に応じて放出抵抗ガイドの左右位置を調節することができるため、排稈の長さや結束位置に拘わらず排稈束の適正位置をガイドすることができ、その結果、排稈束における放出抵抗ガイドの接触位置が左右に偏倚して放出姿勢に乱れが生じる不都合を回避することができる。しかも、部材を兼用化して部品点数の削減およびコストダウンを計ることができる。
【０００５】
【発明の実施の形態】
次に、本発明の実施の形態の一つを図面に基づいて説明する。図面において、１はコンバインの機体後部に装着される結束装置（スライドノッタ）であって、該結束装置１は、結束空間を存して上下に並設される横フレーム２、３のうち、下側の横フレーム２に左右スライド自在に支持される下側結束ケース４と、上側の横フレーム３に左右スライド自在に支持される上側結束ケース（結節部）５とを備えている。そして、前記下側結束ケース４には、排稈を結束空間に集束するパッカー、集束された排稈の圧力を検知するドア、該ドアの圧力検知に基づいて作動するタイミングクラッチ、該タイミングクラッチの作動に連動して排稈束に結束紐を巻き付けるニードル等が組込まれる一方、上側結束ケース５には、ニードルによって巻き付けられた結束紐の両端部を保持し、かつ所定のタイミングで結束紐を切断するホルダ、結束紐の両端部を結節するビル、結束した排稈束を機体後方に放出するスイーパ６等が組み込まれているが、両結束ケース４、５は、チェン伝動機構を内装する略コ字状（後面視）の伝動ケース７を介して一体的に連結されているため、この一体化されたケースアッセンブリ（ケース体）８のスライド操作に基づいて排稈結束位置を調節することができるようになっている。尚、９は結束空間の株元側で排稈の株元を揃える根揃え装置である。
【０００６】
１０は上側結束ケース５から後方下方に傾斜状に突出する放出抵抗ガイドであって、該放出抵抗ガイド１０は、先端側ほど左右に拡開する平面視略Ｖ字状の線材で構成されている。つまり、下側結束ケース４と上側結束ケース５との間から後方に放出される排稈束は、横向き姿勢で放出抵抗ガイド１０に接触しながら落下することになるが、そのとき受ける接触抵抗に基づいて下方に落下するため、先に放出された排稈束と所定間隔を存して圃場に整然と並ぶようになっている。
【０００７】
１１は前記放出抵抗ガイド１０の基端部を支持する正面視冂字形状の可動ブラケットであって、該可動ブラケット１１は、固定プレート１２との間で放出抵抗ガイド１０の基端部を挟持状に緊締支持するが、可動ブラケット１１の基端部は、左右方向を向く横軸１３を介してボス１４に上下回動自在に支持されており、そのため放出抵抗ガイド１０は、機体後方に突出する作業姿勢と、該作業姿勢から下方に回動して機体後部に沿う収納姿勢とに変姿することができるようになっている。
【０００８】
１５は上側結束ケース５の後端部に一体的に取付けられる正面視冂字形状の固定ブラケットであって、該固定ブラケット１５は、上下方向を向く縦軸１６を介して前記ボス１４を左右回動自在（前後回動自在）に支持しており、そのため放出抵抗ガイド１０の左右位置を、排稈の長さや結束位置に応じて調節することができるようになっている。また、１５ａは固定ブラケット１５の左右両端部から下方に延出するブラケット側板であって、該ブラケット側板１５ａは、可動ブラケット１１の左右両側方に位置して放出抵抗ガイド１０の必要以上の左右回動を接当規制するストッパとして機能するようになっている。
【０００９】
１７はノブ付きボルトで構成される左右位置調節具であって、該左右位置調節具１７は、固定ブラケット１５の上部に形成される長孔１５ｂ（縦軸１６を中心とする円弧状の長孔）に上方から挿通されると共に、可動ブラケット１１の上部に固着されるナット１８に螺合している。つまり、左右位置調節具１７は、左右回動を許容しつつ放出抵抗ガイド１０を作業姿勢に保持すると共に、ノブの締付け操作に基づいて放出抵抗ガイド１０を任意の左右位置で固定することができるようになっている。また、左右位置調節具１７を取外すると、放出抵抗ガイド１０の収納姿勢への回動が許容されることになるが、取外した左右位置調節具１７を、右側のブラケット側板１５ａに形成されるバカ孔１５ｃに外側方から挿通すると共に、可動ブラケット１１の右側部に固着されるナット１９に螺合させれば、放出抵抗ガイド１０を収納姿勢に保持することができるようになっている。
【００１０】
叙述の如く構成されたものにおいて、結束した排稈を機体後方に放出するにあたり、機体から後方に突出する放出抵抗ガイド１０で排稈束の放出姿勢を修正するものであるが、前記放出抵抗ガイド１０は、縦軸１６を回動支点とする左右位置調節が許容されているため、排稈の長さや結束位置に応じて放出抵抗ガイド１０の左右位置を調節することが可能になる。従って、排稈の長さや結束位置に拘わらず排稈束の適正位置をガイドすることができ、その結果、排稈束における放出抵抗ガイド１０の接触位置が左右に偏倚して放出姿勢に乱れが生じる不都合を回避することができる。
【００１１】
また、縦軸１６を支点とする左右回動に基づいて放出抵抗ガイド１０の左右位置を調節すると共に、横軸１３を支点とする上下回動に基づいて放出抵抗ガイド１０を作業姿勢と収納姿勢とに変姿させるにあたり、放出抵抗ガイド１０の左右回動を任意の位置で規制可能な左右位置調節具１７を設け、該左右位置調節具１７を、放出抵抗ガイド１０を作業姿勢と収納姿勢とに選択的に保持する姿勢保持具に兼用しているため、部材の兼用化に基づいて部品点数の削減およびコストダウンを計ることができる。
【００１２】
尚、本発明は、前記実施形態に限定されないことは勿論であって、例えば前記放出抵抗ガイド１０の作業姿勢を上下方向に位置調節できるように構成することも可能であり、この場合には、放出抵抗ガイド１０の上下位置調節に基づいて排稈束が受ける抵抗を調節できる利点がある。
【図面の簡単な説明】
【図１】結束装置の後面図である。
【図２】放出抵抗ガイドの作業状態を示す同上要部斜視図である。
【図３】放出抵抗ガイドの収納状態を示す同上要部斜視図である。
【図４】放出抵抗ガイドの支持部を示す側面図である。
【図５】同上平面図である。
【図６】同上分解斜視図である。
【符号の説明】
１    結束装置
４    下側結束ケース
５    上側結束ケース
６    スイーパ
１０  放出抵抗ガイド
１１  可動ブラケット
１３  横軸
１４  ボス
１５  固定ブラケット
１６  縦軸
１７  左右位置調節具
【図１】
0003989116.tif 000002
【図２】
0003989116.tif 000003
【図３】
0003989116.tif 000004
【図４】
0003989116.tif 000005
【図５】
0003989116.tif 000006
【図６】
0003989116.tif 000007